(57)【要約】【課題】巻取パイプとブラケットとの正確な取付けを機械的に確認することが可能なロールスクリーンを提供する。【解決手段】ロールスクリーン１００は、ブラケット１１０と、ブラケット１１０に回転可能に支持される巻取パイプ１２０と、巻取パイプ１２０に一端が巻取り及び巻解き可能に連結されるスクリーン１３０と、ブラケット１１０に回転可能に支持される回転軸１４０と、巻取パイプ１２０と一体回転し回転軸１４０に装着されることにより回転軸１４０と一体に回転する巻取軸１２１と、巻取軸１２１が回転軸１４０に装着されていない状態では回転軸１４０の回転を規制し、巻取軸１２１が回転軸１４０に装着された状態では回転軸１４０の回転を許容するよう切替え可能な切替手段１５０と、を備えたことを特徴とする。巻取パイプ１２０とブラケット１１０との正確な取付けを機械的に確認することができる。【選択図】図２
2020117977.tif 000002
【特許請求の範囲】
【請求項１】
ブラケットと、
前記ブラケットに回転可能に支持される巻取パイプと、
前記巻取パイプに一端が巻取り及び巻解き可能に連結されるスクリーンと、
前記ブラケットに回転可能に支持される回転軸と、
前記巻取パイプと一体回転し前記回転軸に装着されることにより前記回転軸と一体に回転する巻取軸と、
前記巻取軸が前記回転軸に装着されていない状態では前記回転軸の回転を規制し、前記巻取軸が前記回転軸に装着された状態では前記回転軸の回転を許容するよう切替え可能な切替手段と、
を備えたことを特徴とする、ロールスクリーン。
【請求項２】
前記切替手段は、
前記ブラケットに固定されているケースに設けられた係止部と、
前記回転軸に設けられ前記係止部に係止可能な被係止部と、
前記係止部と前記被係止部とに係合可能であり、前記係止部と前記被係止部とを係止又は係止解除可能な係合部材と、
からなり、
前記係合部材は、前記係止部と前記被係止部とを係止すると前記回転軸の回転を規制し、前記係止部と前記被係止部とを係止解除すると前記回転軸の回転を許容することを特徴とする、請求項１に記載のロールスクリーン。
【請求項３】
前記係合部材は、前記回転軸に回動可能に連結されており、前記巻取軸が前記回転軸に装着されると前記巻取軸に当接して前記係止部との係止が解除される方向に回動することを特徴とする、請求項２に記載のロールスクリーン。
【請求項４】
前記係止部は、前記回転軸の回転方向に複数設けられていることを特徴とする、請求項２又は３に記載のロールスクリーン。
【請求項５】
前記係合部材は、前記回転軸の径方向に移動可能に前記ケースに設けられており、
前記係合部材は、前記被係止部に挿入及び離脱可能に前記係止部を挿通しており、前記被係止部に挿入されると前記係止部と前記被係止部とを係止し、前記被係止部から離脱すると前記係止部と前記被係止部とを係止解除することを特徴とする、請求項２に記載のロールスクリーン。
【請求項６】
前記巻取軸には、前記係合部材が前記被係止部から離脱するように押圧する押圧片が設けられていることを特徴とする、請求項５に記載のロールスクリーン。
【請求項７】
前記切替手段は、前記回転軸に配置されて軸方向に摺動する摺動部材を備えており、前記巻取軸が前記回転軸に装着されると前記摺動部材が軸方向に摺動して前記係合部材を前記被係止部から離脱するように移動させることを特徴とする、請求項５に記載のロールスクリーン。
【請求項８】
ロールスクリーン取付対象に固定されている支持部材をさらに備え、
前記ブラケットは、前記支持部材に相対移動可能に支持されていることを特徴とする、請求項１〜７のいずれかに記載のロールスクリーン。
【請求項９】
ブラケットと、
前記ブラケットに回転可能に支持される巻取パイプと、
前記巻取パイプに一端が巻取り及び巻解き可能に連結されるスクリーンと、
を備えたロールスクリーンであって、
前記巻取パイプと一体回転し前記ブラケットに回転可能に装着される巻取軸と、
前記巻取軸が前記ブラケットに装着されていない状態では前記巻取軸の回転を規制し、前記巻取軸が装着された状態では前記巻取軸の回転を許容するよう切替え可能な切替手段と、
を備えたことを特徴とする、ロールスクリーン。
【発明の詳細な説明】
【技術分野】
【０００１】
本発明は、ロールスクリーンに関する。
【背景技術】
【０００２】
従来のロールスクリーンとしては、特開２００２−２２０９８２号公報（特許文献１）に示されるものがある。同文献に開示されているロールスクリーンは、巻取パイプの一端側において、ブラケットにケースが固定されており、ケース内でシャフト受けが軸支されている。シャフト受けは操作コードによって回転駆動するプーリから回転が伝達される。そして、シャフト受けに対して、巻取パイプの一端に装着されるシャフトキャップが一体回転可能に挿入されている。
【０００３】
これによれば、操作コードを操作することによりプーリの回転がシャフト受けに伝達され、シャフトキャップを介して巻取パイプを回転駆動することができる。
【先行技術文献】
【特許文献】
【０００４】
【特許文献１】特開２００２−２２０９８２号公報
【発明の概要】
【発明が解決しようとする課題】
【０００５】
特許文献１のような従来のロールスクリーンでは、巻取パイプのシャフトキャップをシャフト受けに挿入する際、シャフトキャップをシャフト受けの奥まで差し込むが、シャフトキャップがシャフト受けに正確に取付けられたことの確認は人の感覚にのみ頼っているという問題があった。
【０００６】
そこで本発明は、このような問題に鑑みてなされたもので、その目的とするところは、巻取パイプとブラケットとの正確な取付けを機械的に確認することが可能なロールスクリーンを提供することにある。
【課題を解決するための手段】
【０００７】
上記課題を解決するために、本発明の第１の観点によれば、ブラケットと、前記ブラケットに回転可能に支持される巻取パイプと、前記巻取パイプに一端が巻取り及び巻解き可能に連結されるスクリーンと、前記ブラケットに回転可能に支持される回転軸と、前記巻取パイプと一体回転し前記回転軸に装着されることにより前記回転軸と一体に回転する巻取軸と、前記巻取軸が前記回転軸に装着されていない状態では前記回転軸の回転を規制し、前記巻取軸が前記回転軸に装着された状態では前記回転軸の回転を許容するよう切替え可能な切替手段と、を備えたことを特徴とする、ロールスクリーンが提供される。
【０００８】
かかる構成によれば、回転軸の回転の規制又は許容を切替え可能な切替手段を設けることで、巻取軸が回転軸に正確に取付けられていない（誤った取付けを行う）と回転軸の回転が規制される。よって、巻取パイプとブラケットとの正確な取付けを機械的に確認することができる。このような正確な取付けの確認は、巻取パイプの落下などを未然に防ぐことにもつながる。
【０００９】
本発明は様々な応用が可能である。例えば、前記切替手段は、前記ブラケットに固定されているケースに設けられた係止部と、前記回転軸に設けられ前記係止部に係止可能な被係止部と、前記係止部と前記被係止部とに係合可能であり、前記係止部と前記被係止部とを係止又は係止解除可能な係合部材と、からなり、前記係合部材は、前記係止部と前記被係止部とを係止すると前記回転軸の回転を規制し、前記係止部と前記被係止部とを係止解除すると前記回転軸の回転を許容するようにしてもよい。係合部材を係止部と被係止部に係合したり係合を解除したりすることにより、係止部と被係止部とを係止又は係止解除して、回転軸の回転を規制又は許容を切替えることができる。
【００１０】
また、前記係合部材は、前記回転軸に回転可能に連結されており、前記巻取軸が前記回転軸に装着されると前記巻取軸に当接して前記係止部との係止が解除される方向に回動するようにしてもよい。巻取軸が係合部材に当接するまで回転軸に装着させないと、回転軸が回転できないようにすることができる。
【００１１】
また、前記係止部は、前記回転軸の回転方向に複数設けられていてもよい。係止部を複数個所に設けることで、回転軸がどの回転角度にあっても、係合部材が係止部に係合可能となり、回転軸の回転を規制することができる。
【００１２】
また、前記係合部材は、前記回転軸の径方向に移動可能に前記ケースに設けられており、前記係合部材は、前記被係止部に挿入及び離脱可能に前記係止部を挿通しており、前記被係止部に挿入されると前記係止部と前記被係止部とを係止し、前記被係止部から離脱すると前記係止部と前記被係止部とを係止解除するようにしてもよい。係合部材が回転軸の径方向に移動することにより、係止部と被係止部との係止と係止解除とを切り替えることができる。
【００１３】
また、前記巻取軸には前記係合部材を摺動するように押圧する押圧片が設けられていてもよい。よって、係合部材を摺動するための機構を巻取軸以外に別途設ける必要がない。
【００１４】
また、前記切替手段は、前記回転軸に配置されて軸方向に摺動する摺動部材を備えており、前記巻取軸が前記回転軸に装着されると前記摺動部材が軸方向に摺動して前記係合部材を前記被係止部から離脱するように移動させるようにしてもよい。摺動部材によって係合部材を確実に摺動させることができる。
【００１５】
また、ロールスクリーン取付対象（窓枠や壁）に固定されている支持部材をさらに備え、前記ブラケットは、前記支持部材に相対移動可能に支持されているようにしてもよい。ブラケットと支持部材とを相対移動させてブラケットの位置を調整できるため、ネジによる固定のようにネジの取り外しなどの作用を必要とせず容易にブラケットの位置の調整を行うことができる。
【００１６】
また、本発明の第２の観点によれば、ブラケットと、前記ブラケットに回転可能に支持される巻取パイプと、前記巻取パイプに一端が巻取り及び巻解き可能に連結されるスクリーンと、を備えたロールスクリーンであって、前記巻取パイプと一体回転し前記ブラケットに回転可能に装着される巻取軸と、前記巻取軸が前記ブラケットに装着されていない状態では前記巻取軸の回転を規制し、前記巻取軸が装着された状態では前記巻取軸の回転を許容するよう切替え可能な切替手段と、を備えたことを特徴とする、ロールスクリーンが提供される。
【００１７】
かかる構成によれば、巻取軸の回転を規制又は許容を切替え可能な切替手段を設けることで、巻取軸の正確な取付けが行うことができていない（誤った取付けを行う）と回転が規制される。よって、巻取パイプとブラケットとの正確な取付けを機械的に確認することができる。このような正確な取付けの確認は、巻取パイプの落下などを未然に防ぐことにもつながる。上記本発明の第１の観点と同様の応用も可能である。
【発明の効果】
【００１８】
本発明によれば、巻取パイプとブラケットとの正確な取付けを機械的に確認することが可能なロールスクリーンが提供される。本発明のその他の効果については、後述する発明を実施するための形態においても説明する。
【図面の簡単な説明】
【００１９】
【図１】ロールスクリーン１００の全体構成を概略的に示した正面図である。
【図２】操作側ブラケット１１０−１近傍の図であり、（ａ）は正面から見た部分断面図であり、（ｂ）は（ａ）のＡ−Ａ断面図である。
【図３】ロールスクリーン１００の動作を説明するための図であり、（ａ）は正面から見た部分断面図であり、（ｂ）は（ａ）のＢ−Ｂ断面図である。
【図４】第２の実施形態のロールスクリーン２００の構成を示す図である。
【図５】第３の実施形態のロールスクリーン３００の構成を示す図であり、（ａ）は係合部材３５３が頂上の係止部３５１に係止している状態を示し、（ｂ）は係合部材３５３が横の係止部３５１に係止している状態を示す。
【図６】第４の実施形態のロールスクリーン４００の構成を示す図であり、（ａ）は巻取軸４２１を回転軸４４０に装着する前の状態を示し、（ｂ）は巻取軸４２１を回転軸４４０に装着した状態を示す。
【図７】第５の実施形態のロールスクリーン５００の構成を示す図であり、（ａ）は巻取軸５２１を回転軸５４０に装着する前の状態を示し、（ｂ）は巻取軸５２１を回転軸５４０に装着した状態を示す。
【発明を実施するための形態】
【００２０】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２１】
本実施形態のロールスクリーン１００の全体の構成について、図１及び図２を参照しながら説明する。図１はロールスクリーン１００の全体構成を概略的に示した図である。図２は、操作側ブラケット１１０−１近傍の図であり、（ａ）は正面から見た部分断面図であり、（ｂ）は（ａ）のＡ−Ａ断面図である。
【００２２】
ロールスクリーン１００は、図１及び図２に示したように、ブラケット１１０と、ブラケット１１０に回転可能に支持される巻取パイプ１２０と、巻取パイプ１２０に一端が巻取り及び巻解き可能に連結されるスクリーン１３０と、ブラケット１１０に回転可能に支持される回転軸１４０と、巻取パイプ１２０と一体回転し回転軸１４０に装着されることにより回転軸１４０と一体に回転する巻取軸１２１と、巻取軸１２１が回転軸１４０に装着されていない状態では回転軸１４０の回転を規制し、巻取軸１２１が回転軸１４０に装着された状態では回転軸１４０の回転を許容するよう切替え可能な切替手段１５０と、を備えたことを特徴とする。以下、本実施形態のロールスクリーン１００の各構成要素について説明する。
【００２３】
（ブラケット１１０）
ブラケット１１０は、壁や窓枠などの取付対象に取付けられて巻取パイプ１２０を回転可能に支持するものである。ブラケット１１０は、図１に示したように、Ｌ字状に形成されており、巻取パイプ１２０の回転を操作する操作部が設けられる操作側ブラケット１１０−１と、操作部が設けられない反操作側ブラケット１１０−２と、から構成される。操作側ブラケット１１０−１には操作部を介して巻取パイプ１２０の一端が回転可能に支持される。また、反操作側ブラケット１１０−２には、巻取パイプ１２０が直接回転可能に支持される。
【００２４】
操作側ブラケット１１０−１には、図２に示したように、巻取パイプ１２０を操作する操作機構を収容する第１のケース１６０と第２のケース１６１とが取り付けられている。操作機構は、第１のケース１６０及び第２のケース１６１内に回転可能に配置されるプーリ１６２と、プーリ１６２に巻き掛けられ、プーリ１６２を回転駆動する操作チェーン１６３と、第１のケース１６０に回転可能に支持される回転軸１４０と、を備える。
【００２５】
プーリ１６２は、これと一体に回転する第１連結部材１６４又は第２連結部材１６５がクラッチばね１６６を緩めながら回転軸１４０を回転する。クラッチドラム１６７は、第１のケース１６０に回転不能に支持されており、巻取軸１２１側からの回転は、第１連結部材１６４又は第２連結部材１６５がクラッチバネ１６６をクラッチドラム１６７に締結することで回転を不能にする。よって、プーリ１６２の回転は巻取軸１２１に伝達されるが、巻取軸１２１からの回転はプーリ１６２に伝達されないようになっている。
【００２６】
操作チェーン１６３は、図２（ａ）に示したように、プーリ１６２に巻き掛けられプーリ１６２を回転駆動可能である。操作チェーン１６３は、手前側を引き下ろすと、プーリ１６２がスクリーン１３０を上昇させる方向に回転し、奥側を引き下ろすと、プーリ１６２がスクリーン１３０を下降させる方向に回転する。
【００２７】
（巻取パイプ１２０）
巻取パイプ１２０は、スクリーン１３０を昇降させるものである。巻取パイプ１２０は、図１に示したように、スクリーン１３０の上端が巻取り及び巻解き可能に連結されている。巻取パイプ１２０の一方の端部には、図２（ａ）に示したように、巻取パイプ１２０と一体に回転する巻取軸１２１が設けられている。巻取軸１２１と巻取パイプ１２０の回転中心は同じである。巻取軸１２１は、巻取パイプ１２０と一体に形成されていてもよいし、別体に構成されて巻取パイプ１２０の端部に取付けられてもよい。
【００２８】
巻取軸１２１は、図２（ａ）の矢印Ｃで示したように、後述する回転軸１４０の挿入孔１４０ａに挿入されることにより、回転軸１４０に装着可能である。巻取軸１２１は、図２（ｂ）に示したように、断面方形状である。巻取パイプ１２０の多方の端部は、図１に示したように、反操作側ブラケット１１０−２に回転可能に支持されている。
【００２９】
（スクリーン１３０）
スクリーン１３０は、窓や部屋の開口部などを閉鎖又は開放するものである。スクリーン１３０は、図１に示したように、上端が巻取パイプ１２０に巻取り及び巻解き可能に連結されている。スクリーン１３０の下端には、ウエイトバー１３１が取付けられている。
【００３０】
（回転軸１４０）
回転軸１４０は、プーリ１６２の回転を巻取パイプ１２０に伝達するものである。回転軸１４０は、図２（ａ）に示したように、操作側ブラケット１１０−１に固定された第１のケース１６０に回転可能に支持されている。また、回転軸１４０の軸心には、図２（ｂ）に示したように、断面方形状の挿入孔１４０ａが軸方向に伸びて形成されている。挿入孔１４０ａには巻取軸１２１が装着されて一体に回転可能である。
【００３１】
（切替手段１５０）
切替手段１５０は、巻取軸１２１が回転軸１４０に装着されていない状態では回転軸１４０の回転を規制し、巻取軸１２１が回転軸１４０に装着された状態では回転軸１４０の回転を許容するものである。切替手段１５０は、図２に示したように、操作側ブラケット１１０−１に固定されている第１のケース１６０に設けられた係止部１５１と、回転軸１４０に設けられ係止部１５１に係止可能な被係止部１５２と、係止部１５１と被係止部１５２とに係合可能であり、係止部１５１と被係止部１５２とを係止又は係止解除可能な係合部材１５３と、からなり、係合部材１５３は、係止部１５１と被係止部１５２とを係止すると回転軸１４０の回転を規制し、係止部１５１と被係止部１５２とを係止解除すると回転軸１４０の回転を許容するように構成される。
【００３２】
係止部１５１は、図２（ａ）に示したように、第１のケース１６０の回転軸１４０との対面側に設けられている。係止部１５１は、図２（ｂ）に示したように、回転軸１４０の端部近傍から軸方向に伸びる断面方形状の溝であり、円周方向の１か所に形成されている。
【００３３】
被係止部１５２は、図２（ａ）に示したように、回転軸１４０の巻取軸１２１が挿入される側の端部近傍から軸方向に伸びて形成されている。被係止部１５２は、図２（ｂ）に示したように、回転軸１４０の円周方向の１か所において挿入孔１４０ａから外径部まで貫通している。
【００３４】
係合部材１５３は、図２（ａ）に示したように、被係止部１５２に回転可能に連結されている。係合部材１５３は、巻取軸１２１が回転軸１４０に装着されていないときは、一端１５３ａが係止部１５１に係止し、他端１５３ｂが挿入孔１４０ａに挿入した姿勢をとっている。そして、係合部材１５３は、巻取軸１２１が回転軸１４０に装着されると他端１５３ｂが巻取軸１２１に当接して係止部１５１との係止が解除される方向に回動し、被係止部１５２に収容される。
【００３５】
以上、本実施形態のロールスクリーン１００の構成について説明した。次に、本実施形態のロールスクリーン１００の動作について、図２に加えて図３をさらに参照しながら説明する。図３は、ロールスクリーン１００の動作を説明するための図であり、（ａ）は正面から見た部分断面図であり、（ｂ）は（ａ）のＢ−Ｂ断面図である。
【００３６】
巻取軸１２１を回転軸１４０に装着する前は、図２に示したように、切替手段１５０は、係合部材１５３の一端１５３ａが係止部１５１に係止し、他端１５３ｂが挿入孔１４０ａに挿入した状態となっている。回転軸１４０は、被係止部１５２に係合部材１５３が連結されているため、回転が拘束される。
【００３７】
巻取軸１２１を装着するときは、図２（ａ）の矢印Ｃに示したように、回転軸１４０の挿入孔１４０ａに巻取軸１２１を挿入する。すると、係合部材１５３の他端１５３ｂが巻取軸１２１に当接して、図３（ａ）の矢印Ｄに示したように、係止部１５１との係止が解除される方向に係合部材１５３が回動する。巻取軸１２１が挿入孔１４０ａに完全に挿入されて回転軸１４０に装着されると、係合部材１５３は被係止部１５２に収容される。よって、回転軸１４０は、図３（ｂ）の矢印Ｅに示したように、回転可能となって操作チェーン１６３が操作可能な状態になる。
【００３８】
（第１の実施形態の効果）
以上説明したように、本実施形態によれば、回転軸１４０の回転の規制又は許容を切替え可能な切替手段１５０を設けることで、巻取軸１２１が回転軸１４０に正確に取付けられていない（誤った取付けを行う）と回転軸１４０の回転が規制される。よって、巻取パイプ１２０とブラケット１１０との正確な取付けを機械的に確認することができるため、巻取パイプ１２０の落下を未然に防ぐことができる。
【００３９】
また、係合部材１５３を係止部１５１と被係止部１５２に係合したり係合を解除したりすることにより、係止部１５１と被係止部１５２とを係止又は係止解除して、回転軸１４０の回転を規制又は許容を切替えることができる。
【００４０】
また、巻取軸１２１が係合部材１５３に当接するまで回転軸１４０に装着させないと、係合部材１５３が回動しない。このため、巻取軸１２１が回転軸１４０に装着されていない状態では、回転軸１４０が回転できないようにすることができる。
【００４１】
（第２の実施形態）
本実施形態に係るロールスクリーン２００の構成について、図４を参照しながら説明する。図４は、本実施形態のロールスクリーン２００の構成を示す図である。本実施形態は、上記第１の実施形態とは操作側ブラケット２１０−１の構成が異なるものである。本実施形態では、上記第１の実施形態と異なる点を中心に説明する。実質的に同一の機能構成を有する構成要素については、同一の符号を付することにより重複説明を省略する。
【００４２】
本実施形態のロールスクリーン２００について、図４を参照しながら説明する。ロールスクリーン２００は、壁や窓枠などのロールスクリーン取付対象に固定されている支持部材２１１をさらに備え、操作側ブラケット２１０−１は、支持部材２１１に相対移動可能に支持されている。
【００４３】
支持部材２１１は、操作側ブラケット２１０−１の先端が挿入される凹部２１１ａを備えている。凹部２１１ａと操作側ブラケット２１０−１の先端の対向する面は互いに噛み合うのこぎり歯状の位置調整手段２１１ｂ、２１０−１ａが形成されている。凹部２１１ａの位置調整手段２１１ｂと操作側ブラケット２１０−１の位置調整手段２１０−１ａの噛み合う位置を変更することができる。操作側ブラケット２１０−１を移動させて、凹部２１１ａの位置調整手段２１１ｂと操作側ブラケット２１０−１の位置調整手段２１０−１ａの噛み合う位置を変更することにより、操作側ブラケット２１０−１の位置を調整することができる。
【００４４】
（第２の実施形態の効果）
以上説明したように、本実施形態によれば、操作側ブラケット２１０−１を支持部材２１１に対して左右に移動させて位置調整手段２１０−１ａと位置調整手段２１１ｂとを噛み合わせることで操作側ブラケット２１０−１の位置を調整して固定できる。よって、ネジによる固定のようにネジの取り外しなどの作用を必要とせず容易に操作側ブラケット２１０−１の位置の調整を行うことができる。このように操作側ブラケット２１０−１の位置の調整を可能とすることで、巻取軸２２１の回転軸２４０への挿入が不完全とならないように調整することができ、巻取軸２２１を回転軸２４０に正確に取付けることができる。
【００４５】
（第３の実施形態）
本実施形態に係るロールスクリーン３００の構成について、図５を参照しながら説明する。図５は、本実施形態のロールスクリーン３００の構成を示す図であり、（ａ）は係合部材３５３が頂上の係止部３５１に係止している状態を示し、（ｂ）は係合部材３５３が横の係止部３５１に係止している状態を示す。本実施形態は、上記第１の実施形態とは係止部３５１を複数個所に設けたことが異なるものであり、本実施形態では、上記第１の実施形態と異なる点を中心に説明する。実質的に同一の機能構成を有する構成要素については、同一の符号を付することにより重複説明を省略する。
【００４６】
本実施形態の操作側ブラケット３１０−１は、第１の実施形態の操作側ブラケット１１０−１と実質的に同様である。
【００４７】
本実施形態のロールスクリーン３００について、図５を参照しながら説明する。第１のケース３６０には、図５に示したように、係止部３５１が回転軸３４０の回転方向に等間隔に８つ設けられている。例えば、図５（ａ）に示したように、係合部材３５３が上に位置しているときに巻取軸３２１の回転軸３４０との装着が解除された場合、上の係止部３５１に係合部材３５３が係止される。
【００４８】
また、図５（ｂ）に示したように係合部材３５３が横に位置しているときに巻取軸３２１の回転軸３４０との装着が解除された場合、横の係止部３５１に係合部材３５３が係止される。このように、巻取軸３２１の回転軸３４０との装着が解除される位置を特定の位置に限定しなくても係合部材３５３を係止部３５１に容易に係止させることができる。なお、係止部３５１の数は任意の数に設計してよい。
【００４９】
（第３の実施形態の効果）
以上説明したように、本実施形態によれば、係止部３５１を複数個所に設けることで、回転軸３４０がどの回転角度にあっても、係合部材３５３が係止部３５１に係合可能となり、回転軸３４０の回転を規制することができる。
【００５０】
（第４の実施形態）
本実施形態に係るロールスクリーン４００の構成について、図６を参照しながら説明する。図６は、本実施形態のロールスクリーン４００の構成を示す図であり、（ａ）は巻取軸４２１を回転軸４４０に装着する前の状態を示し、（ｂ）は巻取軸４２１を回転軸４４０に装着した状態を示す。本実施形態は、主に切替手段４５０の構成が第１の実施形態と異なるものである。本実施形態では、上記第１の実施形態と異なる点を中心に説明する。実質的に同一の機能構成を有する構成要素については、同一の符号を付することにより重複説明を省略する。
【００５１】
本実施形態のロールスクリーン４００について、図６を参照しながら説明する。切替手段４５０は、図６に示したように、係合部材４５３が、第１のケース４６０に径方向に摺動可能に設けられている。係合部材４５３の一端４５３ａは第１のケース４６０の上部から外部に突出しており、第１のケース４６０の外周に当接してそれ以上の下方への移動が規制されている。係合部材４５３の状態は外部から目視できるようになっている。
【００５２】
係合部材４５３の他端４５３ｂは、図６（ａ）に示したように、巻取軸４２１が回転軸４４０に装着されていない状態では係止部４５１を挿通して被係止部４５２に挿入している。また、係合部材４５３の他端４５３ｂは、図６（ｂ）に示したように、巻取軸４２１が回転軸４４０に装着された状態では被係止部４５２から離脱して係止部４５１に収容される。
【００５３】
被係止部４５２は、第１の実施形態では、回転軸１４０の巻取軸１２１が挿入される側の端部近傍まで形成されていたが、本実施形態では、図６に示したように、回転軸４４０の巻取軸４２１が挿入される側の端部まで形成されている。
【００５４】
巻取軸４２１には、係合部材４５３を摺動するように押圧する押圧片４２１ａが設けられている。押圧片４２１ａは、図６（ａ）に示したように、巻取軸４２１の上方に突出しており、回転軸４４０の被係止部４５２に挿入可能な大きさである。押圧片４２１ａは、図６（ｂ）に示したように、被係止部４５２に挿入された際に上端が回転軸４４０の外周と同じ位置になる。
【００５５】
以上、本実施形態のロールスクリーン４００の構成について説明した。以下、ロールスクリーン４００の動作について、前述の図６を参照しながら説明する。巻取軸４２１を回転軸４４０に装着する前は、図６（ａ）に示したように、切替手段４５０は、係合部材４５３の他端４５３ｂが被係止部４５２に挿入した状態となっている。このため、回転軸４４０は、係合部材４５３の他端４５３ｂに当接して、回転が拘束される。
【００５６】
巻取軸４２１を装着するときは、図６（ａ）の矢印Ｃに示したように、被係止部４５２に押圧片４２１ａが挿入するように回転軸４４０の挿入孔４４０ａに巻取軸４２１を挿入する。すると、押圧片４２１ａが係合部材４５３の他端４５３ｂを押圧して、図６（ｂ）に示したように、係合部材４５３が被係止部４５２から離脱するように摺動する。巻取軸４２１が挿入孔４４０ａに完全に挿入されて回転軸４４０に装着されると、押圧片４２１ａが係合部材４５３の他端４５３ｂを回転軸４４０の外側に完全に押し上げる。このため、係合部材４５３の他端４５３ｂは被係止部４５２から離脱して係止部４５１に収容され、回転軸４４０は回転可能な状態になる。
【００５７】
（第４の実施形態の効果）
以上説明したように、本実施形態によれば、係合部材４５３が回転軸４４０の径方向に移動することにより、係止部４５１と被係止部４５２との係止と係止解除とを切り替えることができる。
【００５８】
また、巻取軸４２１には係合部材４５３を摺動するように押圧する押圧片４２１ａが設けられていているため、係合部材４５３を摺動するための機構を巻取軸４２１以外に別途設ける必要がない。さらに、巻取軸４２１が回転軸４４０に装着されると、係合部材４５３の一端４５３ａが上方に突出して係合部材４５３の状態が外部から目視できるようになり、巻取軸４２１が回転軸４４０に完全に装着されたことを把握できる。
【００５９】
（第５の実施形態）
本実施形態に係るロールスクリーン５００の構成について、図７を参照しながら説明する。図７は、本実施形態のロールスクリーン５００の構成を示す図であり、（ａ）は巻取軸５２１を回転軸５４０に装着する前の状態を示し、（ｂ）は巻取軸５２１を回転軸５４０に装着した状態を示す。本実施形態は、主に切替手段５５０の構成が第４の実施形態と異なるものである。本実施形態では、上記第４の実施形態と異なる点を中心に説明する。実質的に同一の機能構成を有する構成要素については、同一の符号を付することにより重複説明を省略する。
【００６０】
本実施形態のロールスクリーン５００について、図７を参照しながら説明する。切替手段５５０は、図７に示したように、被係止部５５２が、第１の実施形態の被係止部１５２と同様に、回転軸５４０の巻取軸５２１が挿入される側の端部近傍まで形成されている。また、巻取軸５２１には第４の実施形態の押圧片４２１ａは設けられておらず、第１の実施形態の巻取軸１２１と同様の構成である。
【００６１】
回転軸５４０の挿入孔５４０ａ及び被係止部５５２には、図７に示したように、摺動部材５５４が設けられている。摺動部材５５４の上端５５４ａは、回転軸５４０とともに回転軸５４０の外周面を構成する。摺動部材５５４は、被係止部５５２の入り口側端部５５２ａから係合部材５５３まで回転軸５４０の軸方向に摺動可能である。摺動部材５５４は、被係止部５５２の入り口側端部５５２ａに位置しているときは、係合部材５５３から離間している。回転軸５４０の底部５４０ｂと摺動部材５５４との間には、摺動部材５５４を巻取軸５２１が挿入される方向に付勢するばね５５５が設けられている。摺動部材５５４は、巻取軸５２１によって押圧可能である。摺動部材５５４の上端５５４ａは係合部材５５３の他端５５３ｂに当接すると押圧して係合部材５５３を上方に摺動させる。
【００６２】
摺動部材５５４は、巻取軸５２１が挿入孔５４０ａに挿入されることによって巻取軸５２１に押圧されて回転軸５４０の底部５４０ｂの方向に摺動し、巻取軸５２１が挿入孔５４０ａから引き出されると、ばね５５５によって回転軸５４０の入り口の開口部５４０ｃの方向に摺動する。摺動部材５５４の上端５５４ａは係合部材５５３の他端５５３ｂを押圧して係合部材５５３を上方に摺動させる。
【００６３】
以上、本実施形態のロールスクリーン５００の構成について説明した。以下、ロールスクリーン５００の動作について、前述の図７を参照しながら説明する。巻取軸５２１を回転軸５４０に装着する前は、図７（ａ）に示したように、摺動部材５５４が被係止部５５２の入り口側端部５５２ａに位置しており、摺動部材５５４が係合部材５５３から離間している。よって、係合部材５５３の他端５５３ｂが被係止部５５２に挿入した状態となっている。このため、回転軸５４０は、係合部材５５３の他端５５３ｂに当接して、回転が拘束される。
【００６４】
巻取軸５２１を装着するときは、図７（ａ）の矢印Ｃに示したように、回転軸５４０の挿入孔５４０ａに巻取軸５２１を挿入する。すると、巻取軸５２１が摺動部材５５４を押圧して、図７（ｂ）に示したように、摺動部材５５４が係合部材５５３の方向に移動する。摺動部材５５４の上端５５４ａが係合部材５５３の他端５５３ｂに当接すると、係合部材５５３が被係止部５５２から離脱するように摺動する。
【００６５】
巻取軸５２１が挿入孔５４０ａに完全に挿入されて回転軸５４０に装着されると摺動部材５５４の上端５５４ａが係合部材５５３の他端５５３ｂを回転軸５４０の外側に完全に押し上げる。このため、係合部材５５３の他端５５３ｂは被係止部５５２から離脱して係止部５５１に収容され、回転軸５４０は回転可能な状態になる。
【００６６】
（第５の実施形態の効果）
以上説明したように、本実施形態によれば、係合部材５５３を移動させる摺動部材５５４を回転軸５４０に軸方向に摺動可能に配置したため、摺動部材５５４によって係合部材５５３を確実に摺動させることができる。また、巻取軸５２１が回転軸５４０に装着されると、係合部材５５３の一端５５３ａが上方に突出して係合部材５５３の状態が外部から目視できるようになり、巻取軸５２１が回転軸５４０に完全に装着されたことを把握できる。
【００６７】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６８】
例えば、上記実施形態では、切替手段は、ブラケットに固定されているケースに設けられた係止部と、回転軸に設けられた被係止部とを係止又は係止解除可能な係合部材を備えた構成としたが、本発明はこの例に限定されない。切替手段は、巻取軸が回転軸に装着されていない状態では回転軸の回転を規制し、巻取軸が回転軸に装着された状態では回転軸の回転を許容するよう切替え可能であれば、任意に設計することができる。
【００６９】
また、上記第１の実施形態では、係合部材１５３は、回転軸１４０に回転可能に連結されており、巻取軸１２１が回転軸１４０に装着されると巻取軸１２１に当接して係止部１５１との係止が解除される方向に回動する構成としたが、本発明はこの例に限定されない。切替手段は、巻取軸が回転軸に装着されていない状態では回転軸の回転を規制し、巻取軸が回転軸に装着された状態では回転軸の回転を許容するよう切替え可能であればよい。例えば、係合部材が回転軸の軸方向に摺動することによって、回転の規制と許容とを切替るようにするなど、任意に設計することができる。第２、第３の実施形態も同様である。
【００７０】
また、上記第２の実施形態では、操作側ブラケット２１０−１は、取付対象に取り付けられる支持部材２１１に支持され、操作側ブラケット２１０−１と支持部材２１１とは相対移動可能であるように構成したが、本発明はこの例に限定されない。巻取軸に対する操作側ブラケットの位置を変更することができれば任意の設計とすることができる。
【００７１】
また、上記第３の実施形態では、第１のケース３６０の係止部３５１は、回転軸３４０の回転方向に８つ設けたが、本発明はこの例に限定されず、係止部３５１は任意の数に設計することができる。
【００７２】
また、上記第４の実施形態では、巻取軸４２１には係合部材４５３を摺動するように押圧する押圧片４２１ａが設けられている構成としたが、本発明はこの例に限定されない。係合部材を摺動するように押圧する構成であれば任意に設計することができる。
【００７３】
また、上記第５の実施形態では、切替手段５５０は、回転軸５４０の被係止部５５２に配置されて軸方向に摺動する摺動部材５５４を備えており、巻取軸５２１が回転軸５４０に装着されると摺動部材５５４が軸方向に摺動して係合部材５５３を被係止部５５２から離脱するように摺動させるように構成したが、本発明はこの例に限定されない。
【００７４】
以上説明した実施形態、変更例及び応用例の内容は、適宜組み合わせて実施できる。
【符号の説明】
【００７５】
１００、２００、３００、４００、５００  ロールスクリーン
１１０  ブラケット
１１０−１、２１０−１、３１０−１  操作側ブラケット
１１０−２  反操作側ブラケット
１２０  巻取パイプ
１２１、２２１、３２１、４２１、５２１  巻取軸
１３０  スクリーン
１３１  ウエイトバー
１４０、２４０、３４０、４４０、５４０  回転軸
１４０ａ、４４０ａ、５４０ａ  挿入孔
１５０、４５０、５５０  切替手段
１５１、３５１、４５１、５５１  係止部
１５２、４５２、５５２  被係止部
１５３、３５３、４５３、５５３  係合部材
１５３ａ、４５３ａ、５５３ａ  一端
１５３ｂ、４５３ｂ、５５３ｂ  他端
１６０、３６０、４６０  第１のケース
１６１  第２のケース
１６２  プーリ
１６３  操作チェーン
１６４  第１連結部材
１６５  第２連結部材
１６６  クラッチばね
１６７  クラッチドラム
２１１  支持部材
２１０−１ａ、２１１ｂ  位置調整手段
２１１ａ  凹部
４２１ａ  押圧片
５４０ｂ  底部
５４０ｃ  開口部
５５２ａ  入り口側端部
５５４  摺動部材
５５４ａ  上端
【図１】
2020117977.tif 000003
【図２】
2020117977.tif 000004
【図３】
2020117977.tif 000005
【図４】
2020117977.tif 000006
【図５】
2020117977.tif 000007
【図６】
2020117977.tif 000008
【図７】
2020117977.tif 000009